(57)【要約】      （修正有）【課題】複数のシンク装置が存在しても、ＣＥＣ（Ｃｏｎｓｕｍｅｒ  Ｅｌｅｃｔｒｏｎｉｃｓ  Ｃｏｎｔｒｏｌ）機能を有効にして、ユーザの利便性を向上させる通信装置を提供する。【解決手段】２つ以上のＨＤＭＩ（Ｈｉｇｈ−ＤｅｆｉｎｉｔｉｏｎＭｕｌｔｉｍｅｄｉａ  Ｉｎｔｅｒｆａｃｅ）（登録商標）ポートを持つソース装置１００において、接続先が複数のシンク装置となった場合、ＨＤＭＩ制御部１２８は、シンク装置から受信したＣＥＣコマンドを他のシンク装置にフォワードするとともに、ソース装置の設定や状態によりＣＥＣコマンドをフォワードする、フォワードしないを制御する。【選択図】図１
2015186060.tif 000002
【特許請求の範囲】
【請求項１】
ＨＤＭＩ規格に含まれるＣＥＣ規格に準拠したＣＥＣコマンドを表示装置から受信する通信装置において、前記通信装置は、２つ以上の前記表示装置と通信する手段と、２つ以上の前記表示装置とのＣＥＣバスラインはそれぞれ分離となる通信手段と、前記第１の表示装置からＣＥＣコマンドを受信する受信手段と、前記第２の表示装置へ前記第１の表示装置からのＣＥＣコマンドを送信する手段と、前記通信装置にて前記受信手段から所定のＣＥＣコマンドを受信した場合、前記通信装置の設定により前記送信手段でＣＥＣコマンドを送信しないことを設定する設定手段を有することを特徴とする通信装置。
【請求項２】
前記通信装置にて前記受信手段から所定のＣＥＣコマンドを受信した場合、前記通信装置の状態を判定する判定手段と、前記判定手段により、前記送信手段でＣＥＣコマンドを送信しないことを特徴とする請求項１に記載の通信装置。
【請求項３】
前記通信装置にて前記受信手段から所定のＣＥＣコマンドを受信した場合、前記通信装置の状態を判定する判定手段と、前記判定手段により前記通信装置がＣＥＣコマンドを実行できないときのみ、前記送信手段でＣＥＣコマンドを送信することを特徴とする請求項１に記載の通信装置。
【請求項４】
ＨＤＭＩ規格に含まれるＣＥＣ規格に準拠したＣＥＣコマンドを表示装置から受信する通信装置において、前記通信装置は、２つ以上の前記表示装置と通信する手段と、２つ以上の前記表示装置とのＣＥＣバスラインはそれぞれ分離となる通信手段と、前記第１の表示装置からＣＥＣコマンドを受信する受信手段と、受信したコマンドを記録する記録手段、前記第２の表示装置へＣＥＣコマンドを送信する手段と、前記通信装置にて前記受信手段から所定のＣＥＣコマンドを受信した場合、前記通信装置は、ＣＥＣコマンドを実行するとともに、前記通信装置の状態を判定する判定手段の結果により、前記記録手段にて記録していたＣＥＣコマンドを前記第２の表示装置へ送信することを特徴とする通信装置。
【請求項５】
前記通信装置の設定により、受信したコマンドを前記記録手段により記録をおこなわない設定手段と、前記通信装置にて前記受信手段から所定のＣＥＣコマンドを受信した場合、前記設定手段の設定により、受信したコマンドを前記記録手段により記録をおこなわず、前記送信手段でＣＥＣコマンドを送信しないことを特徴とする請求項２に記載の通信装置。
【発明の詳細な説明】
【技術分野】
【０００１】
本発明は、外部装置と通信を行う通信装置に関するものである。
【背景技術】
【０００２】
近年、デジタル映像音声データを伝送するＨＤＭＩ（登録商標）（Ｈｉｇｈ−ＤｅｆｉｎｉｔｉｏｎＭｕｌｔｉｍｅｄｉａ  Ｉｎｔｅｒｆａｃｅ）規格が普及してきている。
【０００３】
ＨＤＭＩ規格に準拠するシステムは、映像データや音声データを送信するソース（Ｓｏｕｒｃｅ）装置と、ソース装置から受信した映像データを表示する表示装置を備えたシンク（Ｓｉｎｋ）装置とを有する。
【０００４】
ユーザはＨＤＭＩシステムにおいて、ソース装置から再生された映像データをシンク装置に表示させて、所望の映像データを視聴することができる。ＨＤＭＩはテレビのような表示するシンク装置と、カメラのような映像データを送信するソース装置との接続に用いられ、高品位なデジタル映像を伝送できる。また、ＨＤＭＩ規格ではＣＥＣ（Ｃｏｎｓｕｍｅｒ  Ｅｌｅｃｔｒｏｎｉｃｓ  Ｃｏｎｔｒｏｌ）と呼ばれる機器制御信号と制御プロトコルが規格化されており、映像データの伝送のみならず、ＨＤＭＩケーブルで接続されている機器の制御も可能である。ＣＥＣでは、定義された制御コマンドを組み合わせることで、テレビとカメラの間で相互に制御を行うことができる。例えば、テレビの操作でカメラの映像出力を開始させたり、カメラへ記録開始を指示する制御が可能である。
【０００５】
また、テレビ画面にカメラの映像を表示させながらテレビの操作ボタンを押すと、テレビからカメラにＣＥＣコマンドを送信させることができる。この機能を使って、ユーザは、テレビの操作でカメラを遠隔操作できる。
【０００６】
このようなＨＤＭＩシステムにおいて、ユーザの操作に応じたリモートコントローラから発振される信号に対して、ソース装置が表示している映像を供給しているデバイスの操作を可能にするものがある（特許文献１参照。）
【先行技術文献】
【特許文献】
【０００７】
【特許文献１】特開２０１０−４４９６号公報
【発明の概要】
【発明が解決しようとする課題】
【０００８】
しかしながら、２つ以上のＨＤＭＩポートを持つソース装置において、接続先が複数のシンク装置となった場合、ＣＥＣラインを共通とすると、ＣＥＣによる機器制御では１台のシンク機器のみが前提となっているので、以下のような問題があった。
【０００９】
第１のソース装置と第１のシンク装置とを接続し、第１のソース装置と第２のシンク装置を接続した場合、例えば、第１のソース装置と第１のシンク装置との接続に対してＣＥＣによる機器制御が有効となる。しかし、この場合、第１のソース装置と第２のシンク装置との接続に対して、ＣＥＣによる機器制御が無効となる。
【００１０】
これにより、第１のシンク装置は、第１のソース装置を介して第２のシンク装置に対してＣＥＣによる機器制御を行うことができず、ユーザにとって不便であった。
【００１１】
従って、本出願に係る発明の目的は、上記のような複数のシンク装置が存在しても、ＣＥＣ機能を有効にして、ユーザの利便性を向上させることである。
【課題を解決するための手段】
【００１２】
本発明に係る通信装置は、ＨＤＭＩ規格に含まれるＣＥＣに準拠したＣＥＣコマンドを表示装置から受信する通信装置において、前記通信装置は、２つ以上の前記表示装置と通信する手段と、２つ以上の前記表示装置とのＣＥＣバスラインはそれぞれ分離となる通信手段と、前記第１の表示装置からＣＥＣコマンドを受信する受信手段と、前記第２の表示装置へ前記第１の表示装置からのＣＥＣコマンドを送信する手段と、前記通信装置にて前記受信手段から所定のＣＥＣコマンドを受信した場合、前記通信装置の設定により前記送信手段でＣＥＣコマンドを送信しないことを設定する設定手段を有することを特徴とする。
【００１３】
また、本発明に係る通信装置は、２つ以上の前記表示装置と通信する手段と、２つ以上の前記表示装置とのＣＥＣバスラインはそれぞれ分離となる通信手段と、前記第１の表示装置からＣＥＣコマンドを受信する受信手段と、受信したコマンドを記録する記録手段、前記第２の表示装置へＣＥＣコマンドを送信する手段と、前記通信装置にて前記受信手段から所定のＣＥＣコマンドを受信した場合、前記通信装置は、ＣＥＣコマンドを実行するとともに、前記通信装置の状態を判定する判定手段により、前記通信装置の状態が前記判定手段の条件となったら、前記記録手段にて記録していたＣＥＣコマンドを前記第２の表示装置へ送信することを特徴とする。
【発明の効果】
【００１４】
本発明によれば、複数のシンク機器が存在しても、ＣＥＣ機器制御を有効にすることができて、常にＣＥＣ機器制御をフォワードするのではなく、ソース機器の設定及び状態により、最適なＣＥＣ機器制御をおこなうことにより、ユーザの利便性を向上させる。
【図面の簡単な説明】
【００１５】
【図１】第１、第２の実施形態における、ビデオカメラの構成例を示すブロック図
【図２】第１、第２の実施形態における、デジタルテレビの構成例を示すブロック図
【図３】第１、第２の実施形態における、レコーダーの構成例を示すブロック図
【図４】第１、第２の実施形態における、ビデオカメラのＨＤＭＩ制御部内を示すブロック図
【図５】第１の実施形態における、ビデオカメラの設定表示
【図６】第２の実施形態における、ビデオカメラの設定表示
【図７】第１の実施形態における、ＣＥＣによる制御コマンドの送信または、本体操作されたときの動作フローチャート
【図８】第２の実施形態における、ビデオカメラの動作フローチャート
【発明を実施するための形態】
【００１６】
以下、図面を参照して本発明の好適な実施形態について説明する。図１は、本発明が実施されうるソース機器の一例としての通信装置の構成例を示している。
【００１７】
通信装置１００は、ＨＤＭＩ規格のＣＥＣ規格に準拠するものとする。
【００１８】
図示のように、通信装置１００は、システム制御部１０１、撮影処理部１０４、映像信号処理部１０５、ディスプレイ制御部１０６、操作部１０７、メモリ１０８、記憶媒体１０９、ＨＤＭＩ制御部１２８が内部バス１１１を介して接続された構成を有する。システム制御部１０１はＣＰＵ、記憶媒体であるＲＯＭやＲＡＭ等を有し、記憶媒体に格納された制御プログラムに従って、通信装置１００の各部の動作を制御する。撮影処理部１０４は、レンズ１２０を制御して合焦動作をおこなうとともに、ＣＣＤ１２１等を制御して撮像動作をおこなう。映像音声信号処理部１０５はＣＣＤ１２１から出力される信号を処理するとともにマイク１２７からの信号も処理する。ディスプレイ制御部１０６には液晶ディスプレイ１２２が接続されており、ディスプレイ制御部１０６は液晶ディスプレイ１２２の表示を制御する。操作部１０７は、タッチパネル１２５、本体スイッチ１２６を有し、これらの操作をシステム制御部１０１に出力する。タッチパネル１２５は、液晶ディスプレイ１２２上部に設定される。メモリ１０８には、映像音声信号処理部１０５で映像、音声の信号処理が施された被写体のデータが一時的に記憶される。記憶媒体１０９には、メモリ１０８に記憶されたデータの記録をおこなう。ＨＤＭＩ制御部１２８は、コネクタ１２９、コネクタ１３０を通して外部機器に映像音声信号処理部１０５で映像、音声の信号処理が施された被写体の映像データ及び音声データを外部機器に最適な形で出力するよう処理を実行する。また、ＨＤＭＩ制御部１２８は、機器間認証となるＥＤＩＤデータ及び双方向制御のためのＣＥＣコマンドを解析する。
【００１９】
図４は、ＨＤＭＩ接続での通信装置１００のＨＤＭＩ制御部１２８のブロック図となる。表示装置１５０は、ＨＤＭＩケーブル１３８で通信装置１００のコネクタ１２９より接続している。通信装置１００はＨＤＭＩケーブル１３８を介して映像データと音声データを表示装置１５０へ出力するソース装置であり、表示装置１５０は、通信装置１００から受信した映像データと音声データを表示するシンク装置となる。通信装置１００は撮影モード時は、レンズ１２０、ＣＣＤ１２１からの映像データと、マイク１２７からの音声データを映像音声信号処理部１０５とＨＤＭＩ制御部１２８にて、ＨＤＭＩケーブル１３８にて表示装置１５０に出力する。ＨＤＭＩ制御部１２８は、信号処理部１３２により、映像データと音声データをコネクタ１２９へ出力する。またＣＥＣ制御部１３４は、コネクタ１２９からのＣＥＣ信号１３６の解析をおこない、制御部１３１へ送信する。
【００２０】
レコーダー１５１は、ＨＤＭＩケーブル１３９で通信装置１００のコネクタ１３０より接続している。通信装置１００はＨＤＭＩケーブル１３７を介して映像データと音声データをレコーダー１５１へ出力するソース装置であり、レコーダー１５１は、通信装置１００から受信した映像データと音声データを表示するシンク装置となる。通信装置１００は撮影モード時は、レンズ１２０、ＣＣＤ１２１からの映像データと、マイク１２７からの音声データを映像音声信号処理部１０５とＨＤＭＩ制御部１２８にて、ＨＤＭＩケーブル１３７にてレコーダー１５１に出力する。ＨＤＭＩ制御部１２８は、信号処理部１３２により、映像データと音声データをコネクタ１３０へ出力する。またＣＥＣ制御部１３３は、コネクタ１３０からのＣＥＣ信号１３５の解析をおこない、制御部１３１へ送信する。また、ＣＥＣ信号１３６とＣＥＣ信号１３５は同じＣＥＣバスライン上ではなく、分離としている。
【００２１】
図２は、表示装置１５０の構成例を示している。図示のように、表示装置１５０は、デジタル放送信号を受信して映像や音声を再生する機能と、コネクタ２３０で接続されたＨＤＭＩ信号を利用して外部から入力された映像や音声を再生する機能を有する。
【００２２】
表示装置１５０は、システム制御部２０１、映像音声信号処理部２０５、操作部２０７、チューナー制御部２０２、ディスプレイ制御部２０６，音声処理部２０４、ＨＤＭＩ制御部２２８が内部バス２１１を介して接続された構成を有する。システム制御部２０１はＣＰＵ、記憶媒体であるＲＯＭやＲＡＭ等を有し、記憶媒体に格納された制御プログラムに従って、表示装置１５０の各部の動作を制御する。
【００２３】
表示装置１５０は、ＨＤＭＩ信号を次のように処理する。すなわち、ＨＤＭＩ制御部２２８は、コネクタ２３０を通して外部ＨＤＭＩ機器から送信されたＨＤＭＩ信号を解析する。ＨＤＭＩ制御部２２８は、解析結果に従い、ＨＤＭＩ信号の映像信号と音声信号をを映像音声信号処理部２０５にそれぞれ供給する。映像音声信号処理部２０５は映像信号及び音声信号の信号処理並びに増幅などの処理を実行する。また、ＨＤＭＩ制御部２２８は、機器間認証となるＥＤＩＤデータ及び双方向制御のためのＣＥＣコマンドを解析する。システム制御部２０１は、チューナー制御部２０２又はＨＤＭＩ制御部２２８から供給される信号を選択し、ディスプレイ制御部２０６、音声処理部２０４を制御して、ディスプレイ２２２及びスピーカー２２０へ出力する。
【００２４】
操作部２０７は、本体スイッチ２２６を有し、これらの操作をシステム制御部２０１に出力する。システム制御部２０１は、操作部２０７からの操作命令やシステム設定命令に従い、表示装置１５０における全動作を統括的に制御する。
【００２５】
図３は、レコーダー１５１の構成例を示している。図示のように、レコーダー１５１は、コネクタ３３０で接続されたＨＤＭＩ信号を利用して外部から入力された映像や音声を記録する機能を有する。
【００２６】
レコーダー１５１は、システム制御部３０１、映像音声信号処理部３０５、操作部３０７、記憶媒体３０９、ＨＤＭＩ制御部３２８が内部バス３１１を介して接続された構成を有する。システム制御部３０１はＣＰＵ、記憶媒体であるＲＯＭやＲＡＭ等を有し、記憶媒体に格納された制御プログラムに従って、レコーダー１５１の各部の動作を制御する。
【００２７】
レコーダー１５１は、ＨＤＭＩ信号を次のように処理する。すなわち、ＨＤＭＩ制御部３２８は、コネクタ３３０を通して外部ＨＤＭＩ機器から送信されたＨＤＭＩ信号を解析する。ＨＤＭＩ制御部３２８は、解析結果に従い、ＨＤＭＩ信号の映像信号と音声信号をを映像・音声信号処理部３０５にそれぞれ供給する。映像・音声信号処理部３０５は映像信号及び音声信号の信号処理並びに増幅などの処理を実行する。また、ＨＤＭＩ制御部３２８は、機器間認証となるＥＤＩＤデータ及び双方向制御のためのＣＥＣコマンドを解析する。システム制御部３０１は、映像・音声信号処理部３０５からの映像信号及び音声信号を記録媒体３０９に記録するよう制御する。
【００２８】
操作部３０７は、本体スイッチ３２６を有し、これらの操作をシステム制御部３０１に出力する。システム制御部３０１は、操作部３０７からの操作命令やシステム設定命令に従い、レコーダー１５１における全動作を統括的に制御する。
【００２９】
以下、図１〜８を参照して、本発明の各実施例の動作を説明する。
【００３０】
＜第１の実施形態＞
第１の実施形態では、シンク機器である表示装置１５０からの操作にて、ソース機器である通信装置１００の制御を行うとともに、通信装置１００の設定により、シンク機器であるレコーダー１５１の制御をおこなう。図５は、通信装置１００の記録と同時に外部機器への記録も行う通信装置１００の設定であるバックアップ記録設定表示である。図７は、表示装置１５０からＣＥＣによる制御コマンドの送信または通信装置１００のタッチパネル１２５が、本体スイッチ１２６にて操作されたときの動作フローチャートである。まず、バックアップ記録設定の動作に関して説明する。
【００３１】
図５は、通信装置１００の設定画面であり、通信装置１００のタッチパネル１２５または、本体スイッチ１２６の操作を操作部１００によりシステム制御部１０１送られる。システム制御部１０１はディスプレイ制御部１０６に対して図５の表示を液晶ディスプレイ１２２におこなう。図５の表示により、ユーザーに対して通常記録かバックアップ記録かの選択を可能としている。
【００３２】
図７は、表示装置１５０からＣＥＣによる制御コマンドの送信または通信装置１００のタッチパネル１２５または、本体スイッチ１２６操作されたときの動作フローチャートである。
【００３３】
Ｓ７０１では、システム制御部１０１は、表示装置１５０以外の記録可能な外部機器、たとえば、図４のレコーダー１５１が接続されているかを判定し、接続されている場合は、Ｓ７０２に進み、そうでない場合は、Ｓ７０８へ進む。
【００３４】
Ｓ７０２では、システム制御部１０１は、表示装置１５０からＣＥＣによる記録コマンド（所定のＣＥＣコマンド）または、通信装置１００のタッチパネル１２５または、本体スイッチ１２６の操作による記録コマンドが実行されているかを判定する。記録コマンドが実行されている場合はＳ７０３へ進み、記録コマンドでない場合は、Ｓ７０６へ進む。
【００３５】
Ｓ７０３では、システム制御部１０１は、通信装置１００にてコマンドを実行し、Ｓ７０４へ進む。
【００３６】
Ｓ７０４では、システム制御部１０１は、図５の設定にて、通常記録かバックアップ記録どちらに設定されているかを判断し、通常記録の場合は、Ｓ７０１へ進み、バックアップ記録の場合はＳ７０５へ進む。
【００３７】
Ｓ７０５では、通信装置１００のシステム制御部１０１が、ＨＤＭＩ制御部１２８からレコーダー１５１へ記録コマンドを送信するするよう制御する。ＨＤＭＩ制御部１２８はＣＥＣ制御部１３３から、コネクタ１３０へＣＥＣ信号を制御して記録コマンドをＣＥＣで送信する。またＨＤＭＩ制御部１２８は、信号処理部１３２により、映像データと音声データをコネクタ１３０へ出力する。レコーダー１５１は、コネクタ１３０を通して外部ＨＤＭＩ機器から送信されたＨＤＭＩ信号をＨＤＭＩ制御部３２８にて解析する。ＨＤＭＩ制御部３２８は、解析結果に従い、ＨＤＭＩ信号の映像信号と音声信号をを映像音声信号処理部３０５にそれぞれ供給する。レコーダー１５１のシステム制御部３０１は、ＨＤＭＩ制御部３２８により、機器間認証となるＥＤＩＤデータ及び双方向制御のためのＣＥＣコマンドを解析する。解析されたＣＥＣコマンドが記録コマンドの場合は、映像音声信号処理部３０５からの映像信号及び音声信号を記録媒体３０９に記録するよう制御し、Ｓ７０１へ進む。
【００３８】
Ｓ７０６では、システム制御部１０１は、表示装置１５０からＣＥＣによるコマンドか通信装置１００のタッチパネル１２５または、本体スイッチ１２６の操作によるコマンドかを判断する。ＣＥＣによるコマンドの場合は、Ｓ７０７へ進み、本体スイッチ１２６の操作によるコマンドの場合は、Ｓ７０８へ進む。
【００３９】
Ｓ７０７では、通信装置１００のシステム制御部１０１が、ＨＤＭＩ制御部１２８からレコーダー１５１へ、表示装置１５０からのＣＥＣによる制御コマンドと同じコマンドを送信するするよう制御する。これにより、ＨＤＭＩ制御部１２８は、ＣＥＣ制御部１３３から、コネクタ１３０へＣＥＣ信号を制御してコマンドをＣＥＣで送信し、Ｓ７０８へ進む。
【００４０】
Ｓ７０８では、システム制御部１０１は、通信装置１００にてコマンドを実行し、Ｓ７０１へ進む。
【００４１】
また、表示装置１５０からＣＥＣによる記録コマンドは、通信装置１００が記録媒体無しや、記録媒体一杯まで記録されていて記録不可状態の場合は、レコーダー１５１へ記録コマンドを送信する。しかし、表示装置１５０からＣＥＣによる記録コマンドは、通信装置１００が記録可能状態ならば、レコーダー１５１へ記録コマンドを送信しない制御とすることも考えられる。
【００４２】
以上のように、第１の実施形態によれば、以下の効果がある。複数のシンク機器が存在しても、ＣＥＣ機能を有効にすることができる。さらに、第１の実施形態によれべ、常にＣＥＣコマンドをフォワードするのではなく通信装置の設定のバックアップ記録設定の場合はＣＥＣコマンドをフォワードし、通常記録設定ではＣＥＣコマンドをフォワードしないことにより、ユーザの利便性を向上させる。
【００４３】
＜第２の実施形態＞
第２の実施形態では、シンク機器である表示装置１５０からの操作にて、ソース機器である通信装置１００の制御を行うとともに、通信装置１００の設定により、通信装置１００とシンク機器であるレコーダー１５１がリレー記録となるよう制御をおこなう。
【００４４】
図６は、通信装置１００の記録終了後に外部機器への記録を行う通信装置１００の設定であるリレー記録設定表示を示す。また、図８は、表示装置１５０からＣＥＣによる制御コマンドの送信または通信装置１００のタッチパネル１２５または、本体スイッチ１２６操作されたときの動作フローチャートを示す。まず、リレー記録設定の動作に関して説明する。
【００４５】
図６は、通信装置１００の設定画面であり、通信装置１００のタッチパネル１２５または、本体スイッチ１２６の操作を操作部１００によりシステム制御部１０１送られる。システム制御部１００はディスプレイ制御部１０６に対して図６の表示を液晶ディスプレイ１２２におこなう。図６の表示により、ユーザーに対して通常記録かリレー記録かの選択を可能としている。
【００４６】
図８は、通信装置１００の動作フローチャートである。
【００４７】
Ｓ８０１では、システム制御部１０１は、表示装置１５０からＣＥＣによる制御コマンドの送信があったかを判断し、表示装置１５０からＣＥＣによる制御コマンドの送信があった場合はＳ８０２へ進み、ない場合はＳ８２０へ進む。
【００４８】
Ｓ８０２では、システム制御部１０１は、表示装置１５０以外のたとえば図４のレコーダー１５１が接続されているかを判定し、接続されている場合は、Ｓ８０３に進み、そうでない場合は、Ｓ８１０へ進む。
【００４９】
Ｓ８０３では、システム制御部１０１は、表示装置１５０からＣＥＣによるコマンドを判断し、記録コマンドの場合は、Ｓ８０４へ進み、記録コマンド以外の場合はＳ８０９へ進む。
【００５０】
Ｓ８０４では、システム制御部１０１は、図６の設定にて、通常記録かリレー記録どちらに設定されているかを判断し、通常記録の場合は、Ｓ８０９へ進み、リレー記録の場合はＳ８０５へ進む。
【００５１】
Ｓ８０５では、システム制御部１０１は、通信装置１００が記録可能状態か不可状態かを判断し、記録可能ならＳ８０６ヘ進み、記録不可ならＳ８０８へ進む。
【００５２】
Ｓ８０６では、システム制御部１０１は、ＣＥＣによる記録コマンドによる通信装置１００を記録状態として、Ｓ８０７へ進む。
【００５３】
Ｓ８０７では、システム制御部１０１は、リレー記録ＦＬＡＧを１としてＳ８０１へ進む。
【００５４】
Ｓ８０８では、システム制御部１０１が、ＨＤＭＩ制御部１２８からレコーダー１５１へ記録コマンドを送信するするよう制御し、ＨＤＭＩ制御部１２８はＣＥＣ制御部１３３から、コネクタ１３０へＣＥＣ信号を制御してコマンドをＣＥＣで送信する。またＨＤＭＩ制御部１２８は、信号処理部１３２により、映像データと音声データをコネクタ１２９へ出力する。レコーダー１５１は、コネクタ３３０を通して外部ＨＤＭＩ機器から送信されたＨＤＭＩ信号をＨＤＭＩ制御部３２８にて解析する。ＨＤＭＩ制御部３２８は、解析結果に従い、ＨＤＭＩ信号の映像信号と音声信号をを映像音声信号処理部３０５にそれぞれ供給する。レコーダー１５１のシステム制御部３０１は、ＨＤＭＩ制御部３２８により、機器間認証となるＥＤＩＤデータ及び双方向制御のためのＣＥＣコマンドの解析を行う。その後、レコーダー１５１のシステム制御部３０１は、通信装置１００からの記録コマンドを実行するため、映像音声信号処理部３０５からの映像信号及び音声信号を記録媒体３０９に記録するよう制御し、Ｓ８０１へ進む。
【００５５】
Ｓ８０９では、システム制御部１０１がＨＤＭＩ制御部１２８へレコーダー１５１へ表示装置１５０からＣＥＣによる制御コマンドと同じコマンドを送信するよう制御する。システム制御部１０１は、ＨＤＭＩ制御部１２８はＣＥＣ制御部１３３から、コネクタ１３０へＣＥＣ信号を制御してコマンドをＣＥＣで送信し、Ｓ８１０へ進む。
【００５６】
Ｓ８１０では、システム制御部１０１は、通信装置１００にてコマンドを実行し、Ｓ８０１へ進む。
【００５７】
Ｓ８２０では、システム制御部１０１は、表示装置１５０以外のたとえば図４のレコーダー１５１が接続されているかを判定し、接続されている場合は、Ｓ８２１に進み、そうでない場合は、Ｓ８２６へ進む。
【００５８】
Ｓ８２１では、システム制御部１０１は通信装置１００が記録状態か記録以外の状態かを判断し、記録状態ならＳ８２２へ進み、記録以外の状態ならＳ８２６へ進む。
【００５９】
Ｓ８２２では、システム制御部１０１は記録媒体１０９が記録可能か、または記録媒体１０９に空き容量が無く記録不可能状態かを判断し、記録可能ならＳ８０１へ進み記録不可ならＳ８２３へ進む。
【００６０】
Ｓ８２３では、システム制御部１０１は、リレー記録ＦＬＡＧが１ならＳ８２４へ進み、０ならＳ８２５へ進む。
【００６１】
Ｓ８２４では、システム制御部１０１が、ＨＤＭＩ制御部１２８へレコーダー１５１へ記録コマンドを送信するするよう制御するため、ＨＤＭＩ制御部１２８はＣＥＣ制御部１３３から、コネクタ１３０へＣＥＣ信号を制御してコマンドをＣＥＣで送信する。またＨＤＭＩ制御部１２８は、信号処理部１３２により、映像データと音声データをコネクタ１２９へ出力する。レコーダー１５１は、コネクタ３３０を通して外部ＨＤＭＩ機器から送信されたＨＤＭＩ信号をＨＤＭＩ制御部３２８にて解析する。ＨＤＭＩ制御部３２８は、解析結果に従い、ＨＤＭＩ信号の映像信号と音声信号をを映像・音声信号処理部３０５にそれぞれ供給する。レコーダー１５１のシステム制御部２０１は、ＨＤＭＩ制御部３２８により、機器間認証となるＥＤＩＤデータ及び双方向制御のためのＣＥＣコマンドの解析を行い、通信装置１００からの記録コマンドを実行する。このため、レコーダー１５１のシステム制御部２０１は、映像・音声信号処理部３０５からの映像信号及び音声信号を記録媒体３０９に記録するよう制御し、Ｓ８２５へ進む。
【００６２】
Ｓ８２４では、システム制御部１０１が、通信装置１００が記録停止となるよう制御し、Ｓ８２６へ進む。
【００６３】
Ｓ８２６では、システム制御部１０１は、リレー記録ＦＬＡＧを１としてＳ８０１へ進む。
【００６４】
以上のように、第２の実施形態によれば、以下の効果がある。
【００６５】
複数のシンク機器が存在しても、ＣＥＣ機能を有効にすることができて、適宜ＣＥＣコマンドをフォワードすることができる。これにより、通信装置の設定がリレー記録設定の場合は、通信装置が記録媒体一杯まで記録されると記録ＣＥＣコマンドを送信することにより、通信装置が記録媒体一杯まで記録しても引き続きレコーダーによる記録を開始する。したがって、記録時間の延長がはかれ、ユーザの利便性を向上させることができる。
【符号の説明】
【００６６】
１００    通信装置
１０１    システム制御部
１０４    撮影処理部
１０５    映像信号処理部
１０６    ディスプレイ制御部
１０７    操作部
１０８    メモリ
１０９    記憶媒体
１２８    ＨＤＭＩ制御部
【図１】
2015186060.tif 000003
【図２】
2015186060.tif 000004
【図３】
2015186060.tif 000005
【図４】
2015186060.tif 000006
【図５】
2015186060.tif 000007
【図６】
2015186060.tif 000008
【図７】
2015186060.tif 000009
【図８】
2015186060.tif 000010